(57)【要約】  【課題】  安全栓の封じ機能を確保できるようにして不慮の消火薬剤噴出事故を防止できる消火器の安全装置を提供する。  【解決手段】  安全栓１０に封じ具２０を備える。封じ具２０は、安全栓１０の張出部１４の上面側を覆う覆い部２１と、起動レバー５に固定された固定部２２とを、安全栓１０の引き抜きに伴い再使用不能に切断される弱体部２３で繋いだ形に形成されている。【選択図】  図１
2006020738.tif 000002
【特許請求の範囲】
【請求項１】
消火薬剤が充填された本体容器の上方ヘッド部に固定された固定レバーと、この固定レバーの上側に対向配備され枢軸回りに開閉回動自在に枢着された起動レバーと、前記固定レバーに対し起立姿勢と傾倒姿勢とにわたって枢軸回りに回動自在に枢着され、その起立姿勢で自由上端部を前記起動レバーの下面側に対し突っ張り状態に当接させて該起動レバーを開き状態にロックし、傾倒姿勢でその自由上端部を前記起動レバーの下面側から離反して該起動レバーの閉じ回動を許す起倒杆と、前記起動レバーに設けた開口にこれの上方から抜き差し可能に差し込まれ、その差し込みにより前記起立姿勢の起倒杆に係合して該起倒杆の傾倒を防止する安全栓と、この安全栓に一体に形成され前記起動レバーに着座する張出部と、前記安全栓の封じ具と、を備えた消火器の安全装置において、
前記封じ具が、前記張出部の上面側を覆う覆い部と、前記起動レバーに固定された固定部とを、前記安全栓の引き抜きに伴い前記張出部により前記覆い部が押し上げられることで応力集中が生じて再使用不能に切断される弱体部で繋いだ形に形成されていることを特徴とする、消火器の安全装置。
【請求項２】
前記固定部が、前記起動レバーに設けた固定孔に挿入固定される脚部と、この脚部の上端に設けられ、前記固定孔の径より径大に形成して下方への抜止めを可能にした頭部とを有する形に形成されている、請求項１記載の消火器の安全装置。
【請求項３】
前記覆い部が、前記起動レバーに設けた係合孔に嵌合する突起を備えている、請求項１又は２に記載の消火器の安全装置。
【請求項４】
前記覆い部が、前記張出部の両側面を覆う覆い側壁部を備えている、請求項１ないし３のいずれか１項に記載の消火器の安全装置。
【発明の詳細な説明】
【技術分野】
【０００１】
本発明は、加圧式や蓄圧式の消火器の安全装置に係り、より詳しくは安全栓に付される安全栓引抜き確認用封じ部材の構造の改良に関する。
【背景技術】
【０００２】
この種の消火器は、たとえば、図８、図９に示すように、上方ヘッド部に取り付けられた起動レバー５に不時の作動を防止するために安全栓（安全ピン）１０を取り付けている。安全栓１０は、起動レバー５に設けた開口１５，１６にこれの上方から抜き差し可能に取り付けており、一方、起動レバー５と固定レバー３との間には起動レバー５を開き状態に突っ張ってロックする起倒杆６を介在している。そして、安全栓１０が起動レバー５に差し込まれるとともに起倒杆６に係合すると該起倒杆６が傾倒防止されて起動レバー５のロック状態を維持する起立姿勢に保持されるように構成されている（例えば、特許文献１参照。）。
【０００３】
また、図９に示すように、起動レバー５には、安全栓１０の引抜きを確認するための封じ部材である封じ紙３０が安全栓１０の張出部１４を跨いで貼付されたものがある。これは、図１０に示すように、安全栓１０を引き抜くと、封じ紙３０のミシン目加工部が破れると同時に、起倒杆６が倒れ、起動レバー５の閉じ回動操作を許容し、この回動操作により消火薬剤を放出できるようになっている。
【０００４】
【特許文献１】実公昭６２−４３５７１号公報
【発明の開示】
【発明が解決しようとする課題】
【０００５】
しかるに、安全栓１０を跨いで起動レバー５に封じ紙３０を貼付している上記消火器では、封じ紙３０が消火器輸送途上で振動を受けたり、設置時に他物と接触したりすることで、安全栓１０の引き抜きを行っていないにもかかわらず、封じ紙３０のミシン目加工部が容易に千切れてしまって封じ機能を失っていることがあった。
また、一度安全栓１０を引き抜くと起倒杆６が倒れ、再度安全栓１０をセットする場合には起倒杆６を起こして安全栓１０を起動レバー５の開口１５，１６から差し込んで起倒杆６に係合する必要がある。しかしながら、こうした操作に精通していない人や悪戯行為者等が安全栓１０を引き抜くと、起倒杆６が倒れたままの状態で安全栓１０を起動レバー５の開口１５，１６に差し込んだ状態を正常なセット状態であると勘違いし、その状態で放置していた。かかる放置状態下では、不慮に消火器が起動レバー５を閉じるように転倒したり、ユーザーが、そのような安全栓１０の不完全なセット状態にあることを気付かないまま起動・固定レバー５・３を握って消火器を移動させたりすると、消火薬剤が放出してしまうという不慮の事故に遭遇することがあった。
こうした事由によりユーザーとメーカーとの間でトラブルの発生を招いていた。
【０００６】
本発明は、上記のような問題を解消するためになされたものであり、その目的とするところは、従来の封じ紙のごとく輸送途上等で不用意に封じ機能を失うことがなくて安全栓の封じ機能を確保できるようにし、もってユーザーとメーカー間でのトラブル発生の減少を図れる消火器の安全装置を提供することにある。
【課題を解決するための手段】
【０００７】
本発明の前提とする消火器の安全装置は、消火薬剤が充填された本体容器の上方ヘッド部に固定された固定レバー（３）と、この固定レバーの上側に対向配備され枢軸（４）回りに開閉回動自在に枢着された起動レバー（５）と、前記固定レバーに対し起立姿勢と傾倒姿勢とにわたって枢軸（９）回りに回動自在に枢着され、その起立姿勢で自由上端部（６ａ）を前記起動レバー（５）の下面側に対し突っ張り状態に当接させて該起動レバー（５）を開き状態にロックし、傾倒姿勢でその自由上端部（６ａ）を前記起動レバー（５）の下面側から離反して該起動レバー（５）の閉じ回動を許す起倒杆（６）と、前記起動レバー（５）に設けた開口（１５），（１６）にこれの上方から抜き差し可能に差し込まれ、その差込みにより前記起立姿勢の起倒杆（６）に係合して該起倒杆（６）の傾倒を防止する安全栓（１０）と、この安全栓に一体に形成され前記起動レバーに着座する張出部（１４）と、前記安全栓（１０）の封じ具（２０）と、を備えたものである。
【０００８】
そのうえで、請求項１に係る発明は、前記安全栓（１０）の封じ具（２０）が、前記張出部（１４）の上面側を覆う覆い部（２１）と、起動レバー（５）に固定された固定部（２２）とを、安全栓（１０）の引き抜きに伴い張出部（１４）により覆い部（２１）が押し上げられることで応力集中が生じて再使用不能に切断される弱体部（２３）で繋いだ形に形成されていることに特徴を有するものである。
【０００９】
この場合において、前記固定部（２２）は、請求項２記載の発明のように、起動レバー（５）に設けた固定孔（２６）に挿入固定される脚部（２２ａ）と、この脚部の上端に設けられ、前記固定孔（２６）の径より径大に形成して下方への抜止めを可能にした頭部（２２ｂ）とを有する形に形成することができる。
また、前記覆い部（２１）は、請求項３記載の発明のように、前記起動レバー（５）に設けた係合孔（２４）に嵌合する突起（２５）を備えたものに構成することができる。
さらに、前記覆い部（２１）は、請求項４記載の発明のように、前記張出部（１４）の両側面を覆う覆い側壁部（２１ｂ）を備えたものに構成することができる。
【発明の効果】
【００１０】
請求項１に係る発明によれば、封じ具はこれの固定部を起動レバーに固定する装着形態を採るとともに、この固定部と覆い部とを、安全栓の引き抜きに伴い張出部により覆い部が押し上げられることで応力集中が生じて再使用不能に切断される弱体部で繋いだ形に形成しているので、従来の封じ紙のごとく輸送途上の振動等で不用意に弱体部がちぎれて封じ機能を失うようなことがなくて封じ機能を確実に維持できる。したがって、ユーザーとメーカー間でのトラブル発生を減少できる。
【００１１】
請求項２に係る発明によれば、封じ具の固定部が起動レバーに設けた固定孔に上方へ抜止め状に挿入固定される脚部と、この脚部の上端に設けられ、前記固定孔の径より径大にして下方への抜止めを可能にした頭部とを有する形に形成されるので、上記効果に加えて、起動レバーに対し封じ具を簡単かつ確実に固定することができ、消火器の移動時等における封じ具の起動レバーからの外れ防止を全うできる。
【００１２】
切断後に、仮に固定部や覆い部が起動レバーと固定レバー又はバルブ上端部との間に落下して挟まると、その後起動レバーを閉じ回動操作するのに支障を来たすことになる。しかし、上記のように固定部が頭部により起動レバーに対し下方へ抜止め可能に固定されていると、切断後に固定部が起動レバーと固定レバー又はバルブ上端部との間に落下することがないので、その落下により起こしやすい起動レバーの閉じ操作の支障問題を解消できるという効果をも奏する。
【００１３】
請求項３に係る発明によれば、覆い部は、起動レバーに設けた係合孔に嵌合する突起を備えたものに構成するので、上記効果に加えて、消火器の移動時等に覆い部が安全栓の張出部から不用意に外れるのを確実に防止でき、しかも、安全栓を引き抜くときに張出部により封じ具の覆い部が突起と係合孔との係合部を介して上方へ引っ張られ、弱体部に引張応力が集中して切断し易くなる。
【００１４】
請求項４に係る発明によれば、覆い部は、張出部の両側面を覆う覆い側壁部を備えたものに構成するので、上記効果に加えて、消火器の移動時等に覆い部が安全栓の張出部から不用意に外れるのを確実に防止できるという効果をも奏する。
【発明を実施するための最良の形態】
【００１５】
以下、本発明の好適な実施形態を図面に基づき説明する。図１は本発明の一実施例を示す消火器の安全装置の縦断面図、図２は安全栓を引き抜いた直後の状態を図１に対応して示す縦断面図、図３の（ａ）は封じ具の平面図、同図の（ｂ）は図３（ａ）におけるＡ矢視図、（ｃ）は図（ａ）におけるＢ−Ｂ線断面図である。
【００１６】
図１において、本発明の対象とする消火器の全体的な基本構成については従来の標準タイプの加圧式消火器（例えば、図８参照）や蓄圧式消火器と同じである。すなわち、消火薬剤が充填される本体容器（図示省略）の上方ヘッド部にはバルブ１が取り付けられ、このバルブ１にはバルブ棒２が上下動自在に組み込まれる。このバル棒２は、加圧式消火器の場合は、本体容器内のバルブ１の下面側に固定されて消火薬剤を放射する圧力源とする加圧用ガス容器（図示省略）の、封板（図示省略）を突き破るための破壊針棒に用いられ、蓄圧式消火器の場合は、バルブ１の管路（図示省略）の入口側に接続されるサイホン管（図示省略）とバルブ１の管路の出口側に接続される消火器ホース（図示省略）との連通状態を開閉するための弁棒に用いられる。
【００１７】
バルブ１の上部には固定レバー３と、この固定レバー３の上方に対向配備され、該固定レバー７３の前端側の基部に枢軸４により前端側の基部を回動自在に枢着した起動レバー５とが設けられている。起動レバー５は上壁部５ａと両側壁部５ｂ，５ｂとを有する断面溝形状に形成されている。バルブ棒２の上端部は起動レバー５の基部寄りの一部５ｃに係止されている。
【００１８】
起動レバー５の不用意な作動を防止するために起倒杆６が設けられている。この起倒杆６は、耐摩耗性に優れるポリアセタール系樹脂やポリアミド系樹脂等のプラスチック成形品であって、その上方が自由上端部６ａとされ、前後に栓受け溝７，８が上下縦方向に形成されるとともに、その下端基部６ｂが固定レバー３に対して枢軸９をもって枢着されている。かくして起倒杆６は、自由上端部６ａを起動レバー５の上壁部５ａの下面に対し突っ張り状態に当接して該起動レバー５を開き姿勢にロックする起立姿勢と、起動レバー５の閉じ回動に伴い自由上端部５ａが上壁部５ａの下面を滑りながら固定レバー３の上に倒れる傾倒姿勢とにわたって枢軸９回りに回動自在である。
【００１９】
起倒杆６の倒れを防止するための安全栓１０は、金属棒からなる直線状の差込ピン１１ａと、この差込ピン１１ａの上端に連続して環状に曲げられた環状部１１ｂとを有し、環状部１１ｂにはプラスチック製の把手１２を一体に被覆成形してなる。把手１２の下面側には前記差込ピン１１ａよりも短い差込ピン１３を前記差込ピン１１ａの前側に該差込ピン１１ａと平行に対向するよう下向きに一体に突設してあり、把手１２の下端の前側には起動レバー５の上壁部５ａ上に着座する張出部１４を前方へ張り出すよう一体に形成している。この安全栓１０は差込ピン１３，１１ａを起動レバー５の上壁部５ａに前後に設けた開口１５，１６にこれの上方から差し込まれ、起倒杆６の栓受け溝７，８に挿入係合することにより該起倒杆６の傾倒を防止する。
【００２０】
本発明は、上記構成の消火器において、安全栓１０の封じ具２０が、安全栓１０の張出部１４の上面側を覆う覆い部２１と、張出部１０の前方における起動レバー５の上壁部５ａに固定される固定部２２とを、安全栓１０の引き抜きに伴い応力集中が生じて再使用不能に切断される弱体部２３で繋いだ形に形成されていることに特徴を有する。
【００２１】
封じ具２０はプラスチック成形品であって、図１および図３の（ａ）〜（ｃ）に示すように、その覆い部２１は、安全栓１０の張出部１４の上面を覆う覆い上壁部２１ａと、この覆い上壁部２１ａの左右両端から下向きに連設され張出部１４の両側面を覆う覆い側壁部２１ｂ，２１ｂとを有する断面溝形状に形成される。覆い上壁部２１ａの内面には張出部１４に設けた係合孔２４に嵌合する突起２５を一体に設けている。
【００２２】
封じ具２０の固定部２２は、起動レバー５の上壁部５ａに設けた固定孔２６に上方へ抜止め状に挿入固定される脚部２２ａと、この脚部２２ａの上端に設けられ、固定孔２６の径より径大の頭部２２ｂとを有する形に形成される。脚部２２ａは最大径部が固定孔２６よりも少し径大の中膨れ状に形成するとともに、割溝２７を入れて拡縮径自在に形成している。これによって、封じ具２０の脚部２２ａが起動レバー５の固定孔２６に対して弾性により縮径変形しながら挿入し易く、挿入後は脚部２２ａが弾性復元作用により拡径して中膨れ部を固定孔２６の下端開口部周辺上に上方へ抜止め状態に係合できるようになっている。固定部２２の下方への抜止めは固定孔２６より径大に形成された頭部２２ｂによって達成される。
【００２３】
そして、覆い部２１の前端部と固定部２２を繋ぐ弱体部２３は、頭部２２ｂと覆い上壁部２１ａとの間にスリット２８を設け、このスリット２８を設けることによってスリット２８の両側に固定部２２と覆い部２１をつなぐ繋がり部（覆い側壁部２１ｂ，２１ｂの固定部２２との連接部に相当する箇所）を残し、この繋がり部を弱体部２３としている。図３（ｃ）に示される弱体部２３は覆い側壁部２１ｂの高さｈと同じ高さ寸法に形成しているが、それ以外に、図４に示す他例の封じ具２０の弱体部２３のように覆い側壁部２１ｂの高さｈよりも低くして細く形成したり、図５、図６のように、弱体部２３の頭部２２ｂとの連接部の上側又は下側に切欠き２９を設けたりして更なる危険断面に形成することによって、安全栓１０の引き抜きに伴い弱体部２３に引張応力あるいは曲げ応力の集中が大きく生じて当該箇所をより切断し易くすることもできる。
【００２４】
上記構成の消火器の安全装置によれば、封じ具２０は固定部２２を起動レバー５に固定してあるので、従来の封じ紙のごとく輸送途上の振動等で不用意にちぎれて封じ機能を失うようなことはなく、封じ機能を確実に維持できる。
【００２５】
封じ具２０は固定部２２が起動レバー５の上壁部５ａに固定され、覆い部２１が安全栓１０の張出部１４の上面側を覆うとともに、突起２５を係合孔２４に係合しているので、図２に示すように、安全栓１０を引き抜くと、安全栓１０と共に引き上げられる張出部１４により覆い部２１が押し上げられながら突起２５と係合孔２４との係合部を介して上方へ引っ張られ、弱体部２３に引張応力が集中することで弱体部２３が切断され、固定部２２と覆い部２１が切り離される。これにより起動レバー５の閉じ操作を可能にして消火作業に供される。
固定部２２と切り離された覆い部２１は安全栓１０の張出部１４の上に残されたまま引き上げられ、固定部２２は起動レバー５側に残される。したがって、これら覆い部２１および固定部２２は起動レバー５と固定レバー３又はバルブ１の上端との間に落下するようなことはなく、起動レバー５の閉じ操作に支障を来たすことはない。
【００２６】
上記実施例では、覆い部２１に覆い側壁部２１ｂと突起２５を設けてあるが、これに限られず、そのいずれか一方のみを設けるか、または両方とも設けないものであってもよい。
【００２７】
図７は、封じ具２０の覆い部２１に覆い側壁部２１ｂ，２１ｂは設けるが突起２５は設けない実施例を示している。この実施例の場合は、安全栓１０の引き抜きに伴い、安全栓１０と共に引き上げられる張出部１４の先端が覆い部２１の下面を滑りながら覆い部２１を押し上げ、これにより覆い部２１が弱体部２３を支点にして折り曲げられ、弱体部２３に曲げ応力が集中することで弱体部２３が容易に切断される。その他の構成は上記実施例の場合と同様に構成されるので、同一部材に同一符号を付するをもってその説明を省略する。
【図面の簡単な説明】
【００２８】
【図１】本発明の一実施例を示す消火器の安全装置の縦断側面図である。
【図２】安全栓を抜いた直後の状態を図１に対応して示す縦断側面図である。
【図３】（ａ）は封じ具の平面図、（ｂ）は図３（ａ）におけるＡ矢視図、（ｃ）は図３（ａ）におけるＢ−Ｂ線断面図である。
【図４】他例の封じ具の側面図である。
【図５】更に他例の封じ具の側面図である。
【図６】更に又、他例の封じ具の側面図である。
【図７】他の実施例の消火器の安全装置を図２に対応して示す縦断側面図である。
【図８】従来例の消火器の安全装置の縦断側面図である。
【図９】他の従来例の消火器の安全装置の側面図である。
【図１０】図９の消火器の安全装置を安全栓を抜いた直後の状態で示す側面図である。
【符号の説明】
【００２９】
３  固定レバー
４  枢軸    
５  起動レバー
６  起倒杆
６ａ  自由上端部
９  枢軸
１０  安全栓
１４  張出部
１５，１６  開口
２０  封じ具
２１  覆い部
２１ａ  覆い上壁部
２１ｂ  覆い側壁部
２２  固定部
２２ａ  脚部
２２ｂ  頭部
２３  弱体部
２４  係合孔
２５  突起
２６  固定孔
【図１】
2006020738.tif 000003
【図２】
2006020738.tif 000004
【図３】
2006020738.tif 000005
【図４】
2006020738.tif 000006
【図５】
2006020738.tif 000007
【図６】
2006020738.tif 000008
【図７】
2006020738.tif 000009
【図８】
2006020738.tif 000010
【図９】
2006020738.tif 000011
【図１０】
2006020738.tif 000012